(57)【要約】【課題】中心導体を長くできて、性能が良好であると共に、小型に適した非可逆回路素子を提供する。【解決手段】本発明の非可逆回路素子において、第１のヨーク１は、四角形状の上板１ａと、この上板１ａの互いに対向する辺から下方に折り曲げられた一対の側板１ｂと、この一対の側板１ｂの中央部に設けられた切り欠き部１ｃとを有し、切り欠き部１ｃ内には、磁石２のそれぞれの端部が位置したため、磁石２を大きくすることができると共に、この磁石２に対応して設けられたフェライト部材４も大きくでき、このため、フェライト部材４に取り付けられる中心導体５，６の導体５ａ、６ａの長さが長くなって、性能の良好なものが得られると共に、小型化を何ら損なうことがない。【選択図】        図４
2004343273.tif 000002
【特許請求の範囲】
【請求項１】
平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石の上面を覆うように配置された第１のヨークと、前記フェライト部材の下面側に配置され、前記第１のヨークとで磁気閉回路を構成する第２のヨークとを備え、前記第１のヨークは、四角形状の上板と、この上板の少なくとも互いに対向する辺から下方に折り曲げられた一対の側板と、この一対の側板の中央部に設けられた切り欠き部とを有し、前記切り欠き部内には、前記磁石のそれぞれの端部が位置したことを特徴とする非可逆回路素子。
【請求項２】
前記フェライト部材の端部が前記側板の延長線に近接して配置されたことを特徴とする請求項１記載の非可逆回路素子。
【請求項３】
前記磁石は、長辺と短辺を有した四角形状をなし、前記磁石の前記短辺側の前記端部が前記切り欠き部内に位置したことを特徴とする請求項１，又は２記載の非可逆回路素子。
【請求項４】
前記磁石の角部には、面取り部が設けられたことを特徴とする請求項３記載の非可逆回路素子。
【請求項５】
前記フェライト部材は、長辺と短辺を有した四角形状をなし、前記磁石と前記フェライト部材の前記長辺同士、及び前記短辺同士を同じ側に合わせた状態で、前記フェライト部材の上面が前記磁石の下面の範囲内に配置されると共に、前記フェライト部材の前記短辺が前記側板の延長線に近接して配置されたことを特徴とする請求項３、又は４記載の非可逆回路素子。
【請求項６】
前記フェライト部材の角部には、面取り部が設けられたことを特徴とする請求項５記載の非可逆回路素子。
【請求項７】
前記切り欠き部内に位置する前記磁石の下面は、前記側板、及び前記第２のヨークに非接触状態となしたことを特徴とする請求項１から６の何れかに記載の非可逆回路素子。
【請求項８】
前記第２のヨーク内に配置された樹脂ケースを備え、前記樹脂ケースは、前記フェライト部材を収容する第１の収容部と、前記中心導体に接続される複数個のコンデンサを収容する第２の収容部を有することを特徴とする請求項１から７の何れかに記載の非可逆回路素子。
【請求項９】
前記第１の収容部が前記樹脂ケースの中央部に設けられると共に、前記第２の収容部は、前記第１の収容部の両側で、前記磁石、及び前記フェライト部材の長辺に沿って配置されたことを特徴とする請求項８記載の非可逆回路素子。
【発明の詳細な説明】
【０００１】
【発明の属する技術分野】
本発明はアンテナ共用器等に適用されるアイソレータやサーキュレータからなる非可逆回路素子に関する。
【０００２】
【従来の技術】
従来の非可逆回路素子の図面を説明すると、図１３は従来の非可逆回路素子の分解斜視図、図１４は従来の非可逆回路素子の要部の平面図、図１５は従来の非可逆回路素子に係る中心導体の展開図である。
【０００３】
次に、従来の非可逆回路素子をアイソレータに適用した場合の構成を図１３〜図１５に基づいて説明すると、従来の非可逆回路素子は、箱形の第１のヨーク５１と、この第１のヨーク５１内に配置された円板状の磁石５２と、この磁石５２の下部に配置された平板状のフェライト部材５３と、１２０度の間隔でフェライト部材５３に取り付けられ、一部が互いに交叉した状態となった金属板からなる三つの第１，第２，第３の中心導体５４、５５，５６と、フェライト部材５３を保持する箱形の樹脂ケース５７と、樹脂ケース５７の下部に配置されたコ字状の第２のヨーク５８を有する。
【０００４】
そして、箱形の第１のヨーク５１は、四角形状の上板５１ａと、この上板５１ａの四辺から下方に折り曲げられた四つの側板５１ｂを有し、この第１のヨーク５１内には磁石５２が収容され、磁石５２の上面が接着剤によって上板５１ａの内面に接着されている。
【０００５】
また、フェライト部材５３は、２辺が互いに対向する長辺５３ａと、２辺が互いに対向する短辺５３ｂとを有した長方形状で構成され、このフェライト部材５３の上面は、磁石５２の下面の範囲内で、磁石５２に対向した状態で配置されている。
【０００６】
また、第１，第２，第３の中心導体５４，５５，５６は、図１５に示すように、金属板が打ち抜きされて形成され、中央に位置した四角形状のアース部７０から外方に延びて形成されている。
【０００７】
そして、第１，第２，第３の中心導体５４，５５，５６のそれぞれは、長手方向にスリットが設けられてなる二条の導体５４ａ，５５ａ、５６ａと、この導体５４ａ，５５ａ、５６ａの端部に設けられた第１，第２，第３のポート部５４ｂ、５５ｂ、５６ｂとを有する。
【０００８】
また、これ等の第１，第２，第３の中心導体５４，５５，５６は、先ず、アース部７０がフェライト部材５３の下面に配置され、この状態で、第１，第２，第３の中心導体５４，５５，５６がフェライト部材５３の側面と上面に沿って折り曲げられて配置されている。
【０００９】
この時、ここでは図示しないが、フェライト部材５３の上面に位置する第１，第２，第３の中心導体５４，５５，５６のそれぞれは、誘電体を介して絶縁された状態で上下方向に配置されている。
そして、第１，第２の中心導体５４，５５、５６がフェライト部材５３に取り付けられた際、第１，第２の中心導体５４，５５は、短辺５３ｂ側に位置し、フェライト部材５３の長面側を横切るように配置されると共に、第３の中心導体５６は、長辺５３ａ側に位置し、短辺５３ｂと平行状態で、フェライト部材５３の短面側を横切るように配置されている。
【００１０】
また、樹脂ケース５７には、中央部に矩形状の孔５７ａが設けられた底壁５７ｂを有すると共に、この底壁５７ｂには、孔５７ａの三辺に沿って設けられた凹部５７ｃが形成されている。
そして、第１，第２，第３の中心導体５４，５５，５６を取り付けたフェライト部材５３は、孔５７ａ内に配置されて、第１，第２，第３の中心導体５４，５５，５６の一端側であるアース部７０が第２のヨーク５８に接続されている。
【００１１】
チップ型のコンデンサ６２，６３，６４とチップ型の抵抗６５は、孔５７ａの周囲に凹部５７ｃ内に配置され、コンデンサ６２，６３，６４の下面電極と抵抗６５の一端側の電極６５ａは、それぞれ第２のヨーク５８に接続されている。
そして、第１、第２の中心導体５４、５５のポート部５４ｃ、５５ｃのそれぞれは、コンデンサ６２，６３の上面電極に半田付けされると共に、第３の中心導体５６のポート部５６ｃは、コンデンサ６４の上面電極と抵抗６５の他端側の電極６５ｂの上面に半田付して接続されている。
【００１２】
即ち、コンデンサ６２は、フェライト部材５３の一方の長辺５３ａ側に配置され、コンデンサ６３は、長辺５３ａと直角状態にある短辺５３ｂ側に配置され、更に、コンデンサ６４と抵抗６５は、もう一つの長辺５３ａ側に配置されて、孔５７ａの周囲を囲むように配設されている。
【００１３】
そして、第１，第２のヨーク５１，５８で磁石５２，フェライト部材５３、及び樹脂ケース５７を挟持した状態で、第１，第２のヨーク５１，５８を結合して、第１，第２のヨーク５１，５８とで磁気閉回路が形成され、非可逆回路素子が構成されている。（例えば、特許文献１参照）
【００１４】
しかし、従来の非可逆回路素子の磁石５２は、箱形の第１のヨーク５１内に収容されているため、磁石５２が小さくなると共に、この磁石５２に対応して設けられたフェライト部材５３も小さくなる。
【００１５】
そして、非可逆回路素子が小型化されればされる程、磁石５３とフェライト部材５３が小さくなり、その結果、フェライト部材５３に取り付けられる第１，第２，第３の中心導体５４，５５，５６の導体５４ａ、５５ａ、５６ａの長さが短くなって、性能を悪くする。
【００１６】
また、フェライト部材５３を収容した孔５７ａの周囲には、コンデンサ６２，６３，６４と抵抗６５が配置されるため、フェライト部材５３が小さくなり、更に、第１，第２，第３の中心導体５４，５５，５６の導体５４ａ、５５ａ、５６ａの長さが短くなって、性能を悪くする。
【００１７】
【特許文献１】
特開２００１−９４３１１号公報
【００１８】
【発明が解決しようとする課題】
従来の非可逆回路素子は、箱形の第１のヨーク５１内に収容されているため、磁石５２が小さくなると共に、この磁石５２に対応して設けられたフェライト部材５３も小さくなり、このため、フェライト部材５３に取り付けられる第１，第２，第３の中心導体５４，５５，５６の導体５４ａ、５５ａ、５６ａの長さが短くなって、性能を悪くするという問題がある。
また、フェライト部材５３を収容した孔５７ａの周囲には、コンデンサ６２，６３，６４と抵抗６５が配置されるため、フェライト部材５３が小さくなり、更に、第１，第２，第３の中心導体５４，５５，５６の導体５４ａ、５５ａ、５６ａの長さが短くなって、性能を悪くするという問題がある。
【００１９】
そこで、本発明は中心導体を長くできて、性能が良好であると共に、小型に適した非可逆回路素子を提供することを目的とする。
【００２０】
【課題を解決するための手段】
上記課題を解決するための第１の解決手段として、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石の上面を覆うように配置された第１のヨークと、前記フェライト部材の下面側に配置され、前記第１のヨークとで磁気閉回路を構成する第２のヨークとを備え、前記第１のヨークは、四角形状の上板と、この上板の少なくとも互いに対向する辺から下方に折り曲げられた一対の側板と、この一対の側板の中央部に設けられた切り欠き部とを有し、前記切り欠き部内には、前記磁石のそれぞれの端部が位置した構成とした。
【００２１】
また、第２の解決手段として、前記フェライト部材の端部が前記側板の延長線に近接して配置された構成とした。
また、第３の解決手段として、前記磁石は、長辺と短辺を有した四角形状をなし、前記磁石の前記短辺側の前記端部が前記切り欠き部内に位置した構成とした。
また、第４の解決手段として、前記磁石の角部には、面取り部が設けられた構成とした。
【００２２】
また、第５の解決手段として、前記フェライト部材は、長辺と短辺を有した四角形状をなし、前記磁石と前記フェライト部材の前記長辺同士、及び前記短辺同士を同じ側に合わせた状態で、前記フェライト部材の上面が前記磁石の下面の範囲内に配置されると共に、前記フェライト部材の前記短辺が前記側板の延長線に近接して配置された構成とした。
また、第６の解決手段として、前記フェライト部材の角部には、面取り部が設けられた構成とした。
【００２３】
また、第７の解決手段として、前記切り欠き部内に位置する前記磁石の下面は、前記側板、及び前記第２のヨークに非接触状態となした構成とした。
【００２４】
また、第８の解決手段として、前記第２のヨーク内に配置された樹脂ケースを備え、前記樹脂ケースは、前記フェライト部材を収容する第１の収容部と、前記中心導体に接続される複数個のコンデンサを収容する第２の収容部を有する構成とした。
【００２５】
また、第９の解決手段として、前記第１の収容部が前記樹脂ケースの中央部に設けられると共に、前記第２の収容部は、前記第１の収容部の両側で、前記磁石、及び前記フェライト部材の長辺に沿って配置された構成とした。
【００２６】
【発明の実施の形態】
本発明の非可逆回路素子の図面を説明すると、図１は本発明の非可逆回路素子の第１実施例に係る平面図、図２は本発明の非可逆回路素子の第１実施例に係る正面図、図３は本発明の非可逆回路素子の第１実施例に係る側面図である。
【００２７】
また、図４は本発明の非可逆回路素子の第１実施例に係り、第１のヨークの上板を取り去った状態を示す平面図、図５は本発明の非可逆回路素子の第１実施例に係り、第１のヨークと磁石を取り去った状態を示す平面図、図６は図４の６−６線における断面図、図７は図４の７−７線における断面図である。
【００２８】
また、図８は本発明の非可逆回路素子の第１実施例に係る要部の分解斜視図、図９は本発明の非可逆回路素子の第１実施例に係る中心導体の展開図、図１０は本発明の非可逆回路素子の第２実施例に係り、第１のヨークの上板を取り去った状態を示す平面図、図１１は本発明の非可逆回路素子の第３実施例に係り、第１のヨークの上板を取り去った状態を示す平面図、図１２は本発明の非可逆回路素子の等価回路図である。
【００２９】
次に、本発明の非可逆回路素子の第１実施例をアイソレータに適用した場合の構成を図１〜図９に基づいて説明すると、箱形の磁性板（鉄板等）からなる第１のヨーク１は、正方形（四角形状）の上板１ａと、この上板１ａの４辺から下方に折り曲げられた側板１ｂと、対向する一対の側板１ｂの中央部の上下方向に設けられた切り欠き部１ｃとを有する。
【００３０】
長方形状（四角形状）の磁石２は、互いに対向する長辺２ａと、この長辺２ａと直角状態にある短辺２ｂと、四角に設けられた面取り部２ｃを有し、この磁石２は、両端に位置する短辺２ｂの端部が切り欠き部１ｃ内に位置した状態で、その上面が上板１ａの内面に接触した状態で、接着剤等の適宜手段によって第１のヨーク１に取り付けられている。
【００３１】
箱形の磁性板（鉄板等）からなる第２のヨーク３は、四角形状の底板３ａと、この底板３ａの四辺から上方に折り曲げられた四つの側板３ｂとを有する。
そして、この第２のヨーク３は、底板３ａが上板１ａと対向して配置された状態で、その側板３ｂが第１のヨーク１の側板１ｂと結合されて、磁気閉回路が形成される。
【００３２】
なお、第１，第２のヨーク１，３は、箱形をなしたもので説明したが、第１，第２のヨーク１，３の一方を箱形にすると共に、他方をコ字状とし、両者の側板１ｂ、３ｂ同士を結合して、磁気閉回路を形成しても良く、また、第１，第２のヨーク１，３の両者をコ字状とし、両者の側板１ｂ、３ｂ同士を結合して、磁気閉回路を形成しても良い。
【００３３】
ＹＩＧ（Ｙｔｔｒｉｕｍ  ｉｒｏｎ  ｇａｒｎｅｔ）等からなる長方形状（四角形状）で平板状のフェライト部材４は、２辺が互いに対向する長辺４ａと、２辺が互いに対向する短辺４ｂと、四角に設けられた面取り部４ｃとを有する。
【００３４】
銅等の薄い導電板からなる第１、第２，第３の中心導体５、６，７は、図９に示すように、金属板が打ち抜きされて形成され、中央に位置した四角形状のアース部８から外方に延びて形成されている。
【００３５】
そして、第１，第２の中心導体５，６、７のそれぞれは、長手方向にスリットが設けられて２分割され、互いに平行な二条の導体５ａ、６ａ、７ａと、この導体５ａ、６ａ、７ａの端部に設けられた第１，第２、第３のポート部５ｂ、６ｂ、７ｂとを有する。
【００３６】
また、これ等の第１，第２，第３の中心導体５，６，７は、先ず、アース部８がフェライト部材４の下面に配置され、この状態で、第１，第２，第３の中心導体５，６，７がフェライト部材４の側面と上面に沿って折り曲げられて配置されている。
【００３７】
この時、第１，第２，第３の中心導体５，６，７は、誘電体（図示せず）を挟んで上下方向の異なる面に１２０度の間隔で設けられて、上下方向に一部が交叉して配置されると共に、図５に示すように、第１，第２のポート部５ｂ、６ｂは、フェライト部材４の一方の長辺４ａ側に配置され、また、第３のポート部７ｂは、他方の長辺４ａ側に配置された状態となっている。
【００３８】
そして、第１，第２の中心導体５，６，７がフェライト部材４に取り付けられた際、図５に示すように、第１，第２の中心導体５，６の導体５ａ、６ａは、短辺４ｂ側に位置し、フェライト部材４の長面側を横切るように配置されると共に、第３の中心導体７の導体７ａは、長辺４ａ側に位置し、フェライト部材４の短面側を横切るように配置されている。
この時、第１，第２の中心導体５，６の導体５ａ、６ａは、フェライト部材４の斜向かいに位置する面取り部４ｃ間に延びた状態となっている。
【００３９】
また、合成樹脂の成型品からなる箱形の樹脂ケース９は、底壁９ａと、この底壁９ａから上方に延びる四つの側壁９ｂと、底壁９ａの中央部に設けられた長方形状（四角形状）の孔からなる第１の収容部９ｃと、第１の収容部９ｃの両側の長手方向に沿って、底壁９ａに設けられた孔からなる複数個の第２の収容部９ｄを有する。
【００４０】
この樹脂ケース９は、成形加工によって、第２のヨーク３と一体に形成されたり、或いは、第２のヨーク３と別体に形成されたものが、第２のヨーク３内に配置されたりして、第２のヨーク３と組み合わされている。
【００４１】
そして、第１，第２，第３の中心導体５，６，７を取り付けたフェライト部材４が第１の収容部９ｃ内に配置された際、樹脂ケース９の下部に配置された第２のヨーク３の底壁３ａには、第１，第２，第３の中心導体５，６，７の一端側であるアース部８が接続された状態となると共に、第２の収容部９ｄがフェライト部材４の長辺４ａに沿って配置された状態となる。
【００４２】
また、フェライト部材４が第１の収容部９ｃ内に配置された際、フェライト部材４の短辺４ｂのそれぞれは、側壁９ｂを介して、第２のヨーク３の側板３ｂに近接した状態となって、フェライト部材４は、一対の側板３ｂ間で、長く延びた状態となっている。
【００４３】
チップ型の第１，第２，第３のコンデンサＣ１，Ｃ２，Ｃ３とチップ型の抵抗器Ｒは、第２の収容部９ｄ内に収容され、第１，第２，第３のコンデンサＣ１，Ｃ２，Ｃ３の下面電極（図示せず）と抵抗器Ｒの一端側の電極１０ａは、それぞれ第２のヨーク３の底板３ａに接続されている。
【００４４】
そして、第１、第２の中心導体５，６の第１，第２のポート部５ｂ、６ｂのそれぞれは、第１，第２のコンデンサＣ１，Ｃ２の上面電極（図示せず）に半田付けされると共に、第３の中心導体７の第３のポート部７ｂは、第３のコンデンサＣ３の上面電極（図示せず）と抵抗器Ｒの他端側の電極１０ｂの上面に半田付して接続されている。
【００４５】
そして、第１，第２のヨーク１，３で磁石２，フェライト部材４、及び樹脂ケース９を挟持した状態で、第１，第２のヨーク１，３を結合して、第１，第２のヨーク１，３とで磁気閉回路が形成され、非可逆回路素子が構成されている
【００４６】
また、第１，第２のヨーク１，３が結合された際、磁石２の下面は、側板１ｂ、３ｂに非接触状態となると共に、磁石２とフェライト部材４は、長辺２ａ、４ａ同士、及び短辺２ｂ、４ｂ同士を同じ側に合わせた状態で、フェライト部材４の上面が磁石２の下面の範囲内に配置された状態となる。
その結果、フェライト部材４の短辺４ｂのそれぞれは、第１のヨーク１の側板１ｂの延長線に近接した状態となって、フェライト部材４は、一対の側板１ｂ間で、長く延びた状態となっている。
【００４７】
また、図１０は、本発明の非可逆回路素子の第２実施例を示し、この第２実施例は、磁石２が正方形をなすと共に、四角に面取り部２ｃが設けられ、この磁石２の四つの端部のそれぞれが第１のヨーク１の切り欠き部１ｃ内に位置したものである。
その他の構成は、前記第１実施例と同様であるので、同一部品に同一番号を付し、ここではその説明を省略する。
【００４８】
また、図１１は、本発明の非可逆回路素子の第３実施例を示し、この第２実施例は、磁石２が円形をなし、この磁石２の十字状の位置にある四つの端部のそれぞれが第１のヨーク１の切り欠き部１ｃ内に位置したものである。
その他の構成は、前記第１実施例と同様であるので、同一部品に同一番号を付し、ここではその説明を省略する。
【００４９】
また、図１２は、本発明の非可逆回路素子であるアイソレータの等価回路図を示し、第１，第２の中心導体５，６の一端側には、接地された第１，第２のコンデンサＣ１，Ｃ２が接続され、入出力端子となる第１，第２のポート部５ｃ、６ｃが設けられると共に、第３の中心導体７の一端側には、接地された第３のコンデンサＣ３と抵抗器Ｒが接続された第３のポート部７ｄが設けられている。
また、第１，第２，第３の中心導体５，６，７の他端側は、アース部８によって接地された構成となっている。
【００５０】
なお、上記実施例は、アイソレータに適用されたもので説明したが、抵抗器Ｒを無くしたサーキュレータに適用しても良い。
【００５１】
【発明の効果】
本発明の非可逆回路素子は、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石の上面を覆うように配置された第１のヨークと、フェライト部材の下面側に配置され、第１のヨークとで磁気閉回路を構成する第２のヨークとを備え、第１のヨークは、四角形状の上板と、この上板の少なくとも互いに対向する辺から下方に折り曲げられた一対の側板と、この一対の側板の中央部に設けられた切り欠き部とを有し、切り欠き部内には、磁石のそれぞれの端部が位置した構成とした。
このような構成にすると、磁石を大きくすることができると共に、この磁石に対応して設けられたフェライト部材も大きくでき、このため、フェライト部材に取り付けられる中心導体の導体の長さが長くなって、性能の良好なものが得られると共に、小型化を何ら損なうことがない。
【００５２】
また、フェライト部材の端部が側板の延長線に近接して配置されたため、フェライト部材は、一対の側板間で目一杯の長さに延ばすことができ、このため、フェライト部材に取り付けられる中心導体の導体の長さが長くなって、性能の良好なものが得られる。
【００５３】
また、磁石は、長辺と短辺を有した四角形状をなし、磁石の短辺側の端部が切り欠き部内に位置したため、磁石の有効面積を大きくできて、性能の良好なものが得られる。
【００５４】
また、磁石の角部には、面取り部が設けられたため、第１のヨークへの磁石の位置決めが容易で、生産性の良好なものが得られる。
【００５５】
また、フェライト部材は、長辺と短辺を有した四角形状をなし、磁石とフェライト部材の長辺同士、及び短辺同士を同じ側に合わせた状態で、フェライト部材の上面が磁石の下面の範囲内に配置されると共に、フェライト部材の短辺が側板の延長線に近接して配置されたため、フェライト部材に取り付けられる中心導体の導体の長さが長くなって、性能の良好なものが得られる。
【００５６】
また、フェライト部材の角部には、面取り部が設けられたため、この面取り部に中心導体の導体を係止できて、中心導体の取付が安定すると共に、フェライト部材に取り付けられる中心導体の導体の長さが長くなって、性能の良好なものが得られる。
【００５７】
また、切り欠き部内に位置する磁石の下面は、側板、及び第２のヨークに非接触状態となしたため、第１，第２のヨーク間で形成される磁気閉回路の磁気バイアスを良好にできる。
【００５８】
また、第２のヨーク内に配置された樹脂ケースを備え、樹脂ケースは、フェライト部材を収容する第１の収容部と、中心導体に接続される複数個のコンデンサを収容する第２の収容部を有するため、組立性の良好なものが得られる。
【００５９】
また、第１の収容部が樹脂ケースの中央部に設けられると共に、第２の収容部は、第１の収容部の両側で、磁石、及びフェライト部材の長辺に沿って配置されたため、フェライト部材の長さを極力大きくできて、フェライト部材に取り付けられる中心導体の導体の長さが長くなって、性能の良好なものが得られると共に、小型化のものが得られる。
【図面の簡単な説明】
【図１】本発明の非可逆回路素子の第１実施例に係る平面図。
【図２】本発明の非可逆回路素子の第１実施例に係る正面図。
【図３】本発明の非可逆回路素子の第１実施例に係る側面図。
【図４】本発明の非可逆回路素子の第１実施例に係り、第１のヨークの上板を取り去った状態を示す平面図。
【図５】本発明の非可逆回路素子の第１実施例に係り、第１のヨークと磁石を取り去った状態を示す平面図。
【図６】図４の６−６線における断面図。
【図７】図４の７−７線における断面図。
【図８】本発明の非可逆回路素子の第１実施例に係る要部の分解斜視図。
【図９】本発明の非可逆回路素子の第１実施例に係る中心導体の展開図。
【図１０】本発明の非可逆回路素子の第２実施例に係り、第１のヨークの上板を取り去った状態を示す平面図。
【図１１】本発明の非可逆回路素子の第３実施例に係り、第１のヨークの上板を取り去った状態を示す平面図。
【図１２】本発明の非可逆回路素子の等価回路図。
【図１３】従来の非可逆回路素子の分解斜視図。
【図１４】従来の非可逆回路素子の要部の平面図。
【図１５】従来の非可逆回路素子に係る中心導体の展開図。
【符号の説明】
１  第１のヨーク
１ａ  上板
１ｂ  側板
１ｃ  切り欠き部
２  磁石
２ａ  長辺
２ｂ  短辺
２ｃ  面取り部
３  第２のヨーク
３ａ  底板
３ｂ  側板
４  フェライト部材
４ａ  長辺
４ｂ  短辺
４ｃ  面取り部
５  第１の中心導体
５ａ  導体
５ｂ  第１のポート部
６  第２の中心導体
６ａ  導体
６ｂ  第２のポート部
７  第３の中心導体
７ａ  導体
７ｂ  第３のポート部
８  アース部
９  樹脂ケース
９ａ  底壁
９ｂ  側壁
９ｃ  第１の収容部
９ｄ  第２の収容部
Ｃ１  第１のコンデンサ
Ｃ２  第２のコンデンサ
Ｃ３  第３のコンデンサ
Ｒ  抵抗器
１０ａ  電極
１０ｂ  電極
【図１】
2004343273.tif 000003
【図２】
2004343273.tif 000004
【図３】
2004343273.tif 000005
【図４】
2004343273.tif 000006
【図５】
2004343273.tif 000007
【図６】
2004343273.tif 000008
【図７】
2004343273.tif 000009
【図８】
2004343273.tif 000010
【図９】
2004343273.tif 000011
【図１０】
2004343273.tif 000012
【図１１】
2004343273.tif 000013
【図１２】
2004343273.tif 000014
【図１３】
2004343273.tif 000015
【図１４】
2004343273.tif 000016
【図１５】
2004343273.tif 000017